(57)【要約】【課題】外部から導入される複数の信号回線がリレー等の器具側に複雑に接続されたり、器具自体の補修や交換等の作業にあたって、取扱者により手作業のための作業スペースが確保できるようにして、信号回線の接続作業を容易に行うことのできる制御盤装置を提供すること。【解決手段】制御盤装置２０は、制御盤装置本体２３と、この制御盤装置本体２３内に収納設置され、制御盤装置本体前方側から取扱い可能に設置される複数の器具取付パネル３５〜３７とを具備し、制御盤装置本体２３は、ケーシング２５内両側に立設され、器具取付パネル３５〜３７を上下に所要の間隔をとって多段に支持するパネル保持支柱２７を備え、器具取付パネル３５〜３７は、パネル保持支柱２７側に長寸パネル固定具５０により保持され、器具取付パネル３５〜３７は、長寸パネル固定具５０の長さにほぼ等しい長さの範囲で引出し可能に設けた。【選択図】  図３
2006158085.tif 000002
【特許請求の範囲】
【請求項１】
制御盤装置本体と、この制御盤装置本体内に収納設置され、制御盤装置本体前方側から取扱い可能に設置される複数の器具取付パネルとを具備し、
上記制御盤装置本体は、ケーシング内両側に立設され、上記器具取付パネルを上下に所要の間隔をとって多段に支持するパネル保持支柱を備え、
上記器具取付パネルは、上記パネル保持支柱側に長寸パネル固定具により保持され、
上記器具取付パネルは、上記長寸パネル固定具の長さにほぼ等しい長さの範囲で引出し可能に設けたことを特徴とする制御盤装置。
【請求項２】
上記長寸パネル固定具により保持される複数の器具取付パネルは、少なくとも最上段に位置する器具取付パネルを除く器具取付パネルであることを特徴とする請求項１記載の制御盤装置。
【請求項３】
上記長寸パネル固定具により保持される複数の器具取付パネルは、一段おきに配置される器具取付パネルであることを特徴とする請求項１記載の制御盤装置。
【請求項４】
上記長寸ボルトにて、パネル保持支柱に保持される複数の器具取付パネルは、上記パネル保持支柱側に一体的に設けられたパネル保持具を介して、パネル保持支柱側に保持されるようにしたことを特徴とする請求項１〜３のいずれかに記載の制御盤装置。
【請求項５】
上記パネル保持具は、当該パネル保持具にリード線群を整えて配線できるＵ字部を有するパネル保持具であることを特徴とする請求項４記載の制御盤装置。
【発明の詳細な説明】
【技術分野】
【０００１】
この発明は、水道用設備や浄水場設備に設置される管制室に備えられる制御盤装置に係り、特に監視対象となる水道用設備や浄水場設備の監視を行うために設けられる制御盤装置に関する。
【背景技術】
【０００２】
従来、この種の制御盤装置は、制御盤装置本体が限られた設置スペースに配置可能なように設けられる一方、監視対象側へ設置される複数のセンサからの検知信号を受信する複数の信号回線を接続するために、制御盤装置本体内に設けられるリレー等の器具側の信号線接続部には、複雑な配線接続が余儀なくされているのが現状である。この種の制御盤装置として、信号線接続を集中的に行うために端子台を複数個設けて、信号線接続をグルーピングし、接続不良や誤配線をなくす工夫がなされている。
【０００３】
このような制御盤装置として、特開平９−１８０７８６号公報（特許文献１参照）に開示されたものがある。この制御盤装置によれば、図５および図６に示すように、制御盤装置１を構成する制御盤装置本体２，外部からの信号回線３を導入する複数の配線ダクト４，この複数の配線ダクト４間において、信号回線３同士を延出させて接続する端子台装置５を設けた構成である。
【０００４】
配線ダクト４は、外部側から信号回線３を導入すると共に、制御盤装置本体２側のダクト保持金具６により保持固定された構成である。
【０００５】
端子台装置５は、制御盤装置本体２の上下端に掛け渡すように保持させている一方で、導入された各信号回線３に弱い引っ張り力が掛かった程度では、外れることのない強度を保持させている。端子台装置５は、制御盤装置本体２側に対して移動可能に保持される移動保持具７と、この移動保持具７に保持される端子台８とから構成される。
【０００６】
移動保持具７は、図６に示すように、長孔１１が形成され、端子台８の端部がこの長孔１１に対して、締付ネジ１２とナット１３による締め付け手段にて固定されている。従って、端子台８は、長孔１１の長さの範囲内で所望位置へ移動させて作業を行うことができるので、信号回線３の端子台８側に対する取り付け作業が容易に行なえるようになっている。
【特許文献１】特開平９−１８０７８６号公報
【発明の開示】
【発明が解決しようとする課題】
【０００７】
制御盤装置１の構成は、この制御盤装置１の外部から導入される各信号回線３が、線配線ダクト４を介して、直接、端子台８側に接続された構成になっている。
【０００８】
この従来の制御盤装置１によれば、信号回線３を制御盤装置本体２側に配線接続する際や、接続の組替えをする際には、移動保持具７を移動させ、端子台８を引き出した状態で作業を行うことができるので、回線接続の作業性を向上させることができる。
【０００９】
しかしながら、制御盤装置１によれば、端子台８側に対する信号回線３の取り付け作業を優先するあまり、この信号回線３を緊張状態で取り付けたりする場合と、導入された信号回線３に引っ張り力が無用に作用するようになる。
【００１０】
従って、信号回線３に引っ張り力が係った場合には、端子台８と各信号回線３との接続強度が、上記引っ張り力に抗しきれず、破断または接続不良を起こす虞があった。このように、信号回線３の配線接続に熟練を要したり、熟練を要しない場合には、その作業にかかる注意を要することから、通常作業時における作業性が悪かった。
【００１１】
本発明は、上記の事情に鑑みてなされたもので、外部から導入される複数の信号回線が複雑にリレー等の器具側に接続される場合であっても、取扱者による手作業のための作業スペースを確保するようにして、容易に信号回線の接続作業等の作業を行うことのできる制御盤装置を提供することを目的とする。
【課題を解決するための手段】
【００１２】
上記目的を達成するために、本発明によれば、制御盤装置本体と、この制御盤装置本体内に収納設置され、制御盤装置本体前方側から取扱い可能に設置される複数の器具取付パネルとを具備し、上記制御盤装置本体は、ケーシング内両側に立設され、上記器具取付パネルを上下に所要の間隔をとって多段に支持するパネル保持支柱を備え、上記器具取付パネルは、上記パネル保持支柱側に長寸パネル固定具により保持され、上記器具取付パネルは、上記長寸パネル固定具の長さにほぼ等しい長さの範囲で引出し可能に設けたことを特徴とする制御盤装置を提供する。
【発明の効果】
【００１３】
本発明によれば、外部から導入される複数の信号回線が複雑にリレー等の器具側に接続される場合であっても、取扱者により手作業のための作業スペースが確保できるので、容易に信号回線の接続作業等の作業を行うことのできる制御盤装置を提供することができる。
【発明を実施するための最良の形態】
【００１４】
本発明に係る制御盤装置の実施形態について、添付図面を参照して説明する。
【００１５】
図１は、本発明の制御盤装置２０の実施形態を示す概要図である。
【００１６】
この制御盤装置２０は、水道用設備や浄水場設備の管制室２１に設置され、例えば貯水池の水位、沈砂量等の検知対象を監視する監視盤２２と共に管制系として設置される。監視盤２２は、制御盤装置２０側から図示しない複数の検知対象から検知したこれらのデータの検知信号ａを受信すると共に、この複数データの検知信号ａに対応した複数の監視信号ｂが制御盤装置２０側へ送信されるようになっている。
【００１７】
制御盤装置２０は、監視信号ｂを受信することにより、監視対象となる検知対象側から検知信号ａを受信して監視盤２２側へ送信する中継の役割をなすものである。また、制御盤装置２０は、各信号ａ，ｂの送受信用配線の接続変更（組替え）を行うことができるようになっている。
【００１８】
この制御盤装置２０は、具体的には、図２に示すように、制御盤装置本体２３と、この制御盤装置本体２３内に備えられる器具取付パネル組立体２４とより構成される。制御盤装置本体２３は、前方を開口するボックス状のケーシング２５と、このケーシング２５の前方開口を開閉自在に設けられる扉２６と、ケーシング２５内の両側に立設したパネル保持支柱２７とより構成される。
【００１９】
パネル保持支柱２７は、図２に示すように、ケーシング２５内の両側の天井面から床面に亘ってほぼ垂直に立設された堅牢な支柱である。このパネル保持支柱２７には、図３および図４に示すように、制御盤装置２０の前方に面して、パネル保持ガイドレール３４が一体的に設けられる。パネル保持ガイドレール３４には、長手方向にスライド溝３４ａが形成され、このスライド溝３４ａに複数のパネル保持具２８が上下方向にスライド可能に取り付けられる。
【００２０】
パネル保持具２８は、器具取付パネル組立体２４を構成する複数の器具取付パネル３５〜３７が上下方向に多段に取り付けられるようになっている。パネル保持具２８は、具体的には図３および図４に示すように、Ｕ字形の堅牢な金具で形成され、パネル保持ガイドレール３４に固定される基部２８ａ、リード線案内部を形成したＵ字部２８ｂおよび自由端部２８ｃを有している。
【００２１】
パネル保持具２８の基部２８ａは、パネル保持支柱２７側が、ボルト３０，ナット３１により固定され、Ｕ字部２８ｂおよび自由端部２８ｃ部分が前方へ張り出した状態に設けられる。また、パネル保持具２８のＵ字部２８ｂは、リード線案内部を内側に形成しており、図４に示すように、リード線群３３が整えられ配設されるようになっている。
【００２２】
一方、複数のパネル保持具２８に保持される器具取付パネル組立体２４は、例えば上段器具取付パネル３５、中段器具取付パネル３６および下段器具取付パネル３７とより構成される。上段器具取付パネル３５は、ケーシング２５の開口幅にほぼ等しい横長のパネル板４０と、このパネル板４０に配置されたリレー郡４１とより組立てられる。パネル板４０の長手方向の下縁側には、複数の回線挟持溝４０ａが、それぞれほぼ等ピッチで形成される。
【００２３】
この回線挟持溝４０ａには、図２および図３に示すように、リレー郡４１の各リレー４１ａに配線接続し、導出される複数の信号回線４３が挟持されるようになっている。回線挟持溝４０ａに挟持された複数の信号回線４３は、下段（中段器具取付パネル３６）側のパネル板４４の複数の回線挟持溝４４ａ側へ接続されるようになっている。この回線挟持溝４０ａが、上段側の回線挟持溝４０ａと同様に等ピッチにそれぞれ形成される。
【００２４】
また、複数の信号回線４３は、図３に示すように、リレー群４１の各リレー４１ａに迷路状に入り組んだ状態に接続される。
【００２５】
中段器具取付パネル３６は、上段器具取付パネル３５と同様の構成を有したパネル板４４と、このパネル板４４に複数のリレー４５ａを並列配置したリレー群４５とより組立てられる。
【００２６】
パネル板４４の長手方向の上，下縁には、それぞれ複数の回線挟持溝４４ａ，４４ｂが、それぞれほぼ等ピッチで形成される。この回線挟持溝４４ａ，４４ｂには、図２および図３に示すように、各リレー４５ａに配線接続された複数の信号回線４６がそれぞれ挟持され、更に下段（下段器具取付パネル３７）側へ導出されるようになっている。
【００２７】
また、下段器具取付パネル３７は、リレー群４７の各リレー４７ａに配線接続し、導出される複数の信号回線４８が挟持されるようになっている。下段器具取付パネル３７は、中段器具取付パネル３６と同様の構成を有したリレー支持板であるパネル板４９と、このパネル板４９に複数のリレー４７ａを並列配置したリレー群４７とより組立てられる。
【００２８】
パネル板４９の長手方向の上，下縁には、それぞれ複数の回線挟持溝４９ａ，４９ｂが、それぞれほぼ等ピッチで形成される。パネル板４９の左右両側端部は、図３および図４に示すように、パネル固定具としての長寸ボルト５０およびナット５１ａ、５１ｂによりパネル保持支柱２７側に締結される。
【００２９】
具体的には、パネル板４９の左右両側端部は、ケーシング２５側のパネル保持支柱２７にボルト３０およびナット３１により締結されたパネル保持板２８を介してパネル保持支柱２７側に締結される。この締結には、図３および図４に示すように、パネル保持板２８の自由端部２８ｃに、長寸ボルト５０およびナット５１ａ、５１ｂが用いられる。
【００３０】
この長寸ボルト５０は、通常時は図４に示すように、その頭部５０ａおよびネジ部５０ｂを突出させた状態で、パネル板４９とパネル保持板２８の自由端部２８ｃとがナット５１ａ、５１ｂにより締結される。
【００３１】
また、パネル板４９側から締め付けるナット５１ａを、頭部５０ａ側まで緩めた状態、すなわち、図４に想像線で示される位置にあるナット５１ｂが実線位置まで移動させた状態にすることができるようになっている。この状態にした場合には、パネル板４９が図４の想像線で示す通常の使用状態からｘ１方向に移動させて図４の想像線で示す位置、すなわちｌ寸法分前方位置へ移動させて止めることができる。
【００３２】
なお、図３および図４に示すリード線群５２は、図示しない別器具側への配線される信号回線等の復数配線接続されたリード線群で、両支柱２７側のパネル保持具２８のＵ字部２８ｂの内側（案内溝）へ整えて配線される。
【００３３】
また、上段器具取付パネル３５および中段器具取付パネル３６側におけるパネル保持支柱２７に対する保持構成については、図示しないが、下段器具取付パネル３７の構成と同様であるので説明を省略する。
【００３４】
次に、制御盤装置２０の作用について、図２〜図４を参照して説明する。
【００３５】
制御盤装置２０の器具取付パネル組立体２４を構成する複数の器具取付パネルの内、図２に示すように、複数の器具取付パネル３５〜３７が設置された通常の使用状態から、図３および図４に示すように、器具取付パネル組立体２４の、例えば下段器具取付パネル３７が引き出されて信号回線４６の配線組替作業を行う場合について説明する。
【００３６】
図４の想像線で示す下段器具取付パネル３７を、パネル保持具２８側に保持する想像線で示すナット５１ｂを緩めて矢印ｘ１の方向へ移動させ、実線で図示する長尺ボルト５０の頭部５０ａの位置まで移動させる。
【００３７】
次に、下段器具取付パネル３７のパネル板４９を矢印ｘ１の方向へ移動させ、実線にて図示するナット５１ｂの位置まで移動させる。従って、下段器具取付パネル３７は、図４に示すｌ寸法分前方へ移動する。
【００３８】
このように、下段器具取付パネル３７が、ｌ寸法分前方へ移動したことにより、下段器具取付パネル３７は、上段器具取付パネル３５と平面方向にほぼｌ寸法のスペース（空間）を形成させることができる。また、このように、下段器具取付パネル３７がパネル保持支柱２７側から引き出された状態で、中段器具取付パネル３６は、上段器具取付パネル３５と上下に所要の間隔が取られていることから、取扱者による手作業に必要な作業スペースが確保できる。
【００３９】
次に、制御盤装置２０の取扱者は、手作業により複数の信号回線４６のより分けや、複数のリレー４１ａに対する配線接続の組替え作業を行う。取扱者の手作業による組替え作業は、作業スペース内にて、複数の信号回線４６の１本々の導出元および導出先を確認しながら複数のリレー４１ａの中の所望のリレー４１ａを選択して組替え接続や新規に接続することができる。また、リレー４１ａに対する組替え接続や新規に接続する作業が完了すると、下段器具取付パネル３７を、元の状態に移動させる。
【００４０】
すなわち、図４に示すように、下段器具取付パネル３７のパネル板４９を、実線で示す位置から想像線で示す位置まで移動させる。そして、ナット５１ｂを元の想像線図示の位置まで移動させて、パネル板４９をパネル保持具２８側に固定する。
【００４１】
なお、上述の配線組替作業は、中段器具取付パネル３６と下段器具取付パネル３７との間に配線される信号回線４６の場合について説明したが、上段器具取付パネル３５と中段器具取付パネル３６との間に配線される信号回線４３の場合であっても同様であるので説明を省略する。
【００４２】
従って、制御盤装置２０によれば、外部から導入される複数の信号回線が複雑にリレー等の器具側に接続される場合であっても、信号回線が緊張状態になることがなく、更には取扱者により手作業のための作業スペースが必要に応じて確保でき、容易に信号回線の接続作業を行うことのできる制御盤装置を提供することができる。
【００４３】
なお、制御盤装置２０によれば、器具取付パネル組立体２４を構成する全ての器具取付パネル３５〜３７に長寸ボルト５０を用いてパネル保持支柱２７側に保持させた構成を採用したが、特に最上段に位置する上段器具取付パネル３５については必ずしも必要でない。すなわち、上段器具取付パネル３５側にあっては、この上段器具取付パネル３５とケーシング２５内の天井面と間において、所要のスペースが存在するので、このスペースを作業スペースとして利用することができる。
【００４４】
また、制御盤装置２０によれば、器具取付パネル組立体２４を構成する全ての器具取付パネル３５〜３７に長寸ボルト５０を用いてパネル保持支柱２７側に保持させた構成を採用したが、最上段を除き、次段から１段おきに長寸ボルト５０を用いた構成を採用してもよい。すなわち、最上段を除き、次段から１段おきに長寸ボルト５０を用いた構成の場合には、長寸ボルト５０を用いない器具取付パネル側は、その上・下段側の器具取付パネルを前方に引き出すことによりできる下方側のスペースを作業スペースとして利用することができる。
【００４５】
更にまた、制御盤装置２０によれば、器具取付パネル組立体２４を構成する全ての器具取付パネル３５〜３７を、パネル保持支柱２７側へ、Ｕ字形のパネル保持具を介して保持させた構成を採用したが、必ずしもＵ字形である必要はなく、例えばロ形であったり、Ｖ字形であっても差し支えない。
【００４６】
また更には、制御盤装置２０によれば、器具取付パネル組立体２４を構成する全ての器具取付パネル３５〜３７を、パネル保持支柱２７側へ、パネル保持具２８を介して保持させた構成を採用したが、少なくともその１つのパネル保持具２８を省いた構成であってもよい。
【００４７】
すなわち、器具取付パネル３５〜３７は、少なくともその１つについて、用いられる長寸ボルト５０を、パネル保持支柱２７のパネル保持ガイドレール３４側に直接螺合させることができる。
【００４８】
また、この螺合の際に、パネル保持支柱２７に対する高さ位置の調整をもあわせて行うことができる。
【００４９】
更にまた、制御盤装置２０によれば、この制御盤装置２０の取扱者が作業するに際して、取扱う信号回線は、通電回線であってもよく、また、回線を扱うのみならず、リレー群４１，４５および４７等の器具の修理や取替え等のあらゆる作業を対象にすることができる。
【図面の簡単な説明】
【００５０】
【図１】本発明の制御盤装置を備えた管制室の概要を示す図。
【図２】本発明の制御盤装置の開扉状態の概要を示す斜視図。
【図３】図２に示す器具取付パネル部組立体の腰部を示す拡大斜視図。
【図４】図３のＡ−Ａに沿った拡大断面図、
【図５】従来の制御盤装置の概要を示す横断面図。
【図６】図５の端子台の取り付け構造を示す要部拡大図。
【符号の説明】
【００５１】
２０  制御盤装置
２１  管制室
２２  監視盤
２３  制御盤装置本体
２４  器具取付パネル組立体
２５  ケーシング
２６  扉
２７  パネル保持支柱
２８  Ｕ字形パネル保持具
２８ａ  基部
２８ｂ  Ｕ字部
２８ｃ  自由端部
３０  ボルト
３１  ナット
３４  パネル保持ガイドレール
３４ａ  スライド溝
３５  上段器具取付パネル
３６  中段器具取付パネル
３７  下段器具取付パネル
４０，４４，４９  パネル板
４０ａ，４４ａ，４４ｂ，４９ａ，４９ｂ  回線挟持溝
４１，４５，４７  リレー群
４１ａ，４５ａ，４７ａ  リレー
４３，４６，４８  信号回線
５０  長寸ボルト（長寸パネル固定具）
５０ａ  頭部
５０ｂ  ネジ部
５１ａ，５１ｂ  ナット
５２  リード線群
ａ  検知信号
ｂ  監視信号
【図１】
2006158085.tif 000003
【図２】
2006158085.tif 000004
【図３】
2006158085.tif 000005
【図４】
2006158085.tif 000006
【図５】
2006158085.tif 000007
【図６】
2006158085.tif 000008